(57)【要約】【課題】専用ボタンにより適切な居室親機を呼出すことが可能な集合玄関機を備えるインターホンシステムを提供する。【解決手段】各居室に設置される居室親機と、居室親機と通信可能に構成された集合玄関機と、集合玄関機を制御する制御装置とを備えたインターホンシステムであって、集合玄関機は、訪問者が居住者を呼び出すために居住者の居室親機を特定するための居住者名が表示される複数のネームプレートと、ネームプレートに関連付けて設けられるとともに、各ネームプレートに表示された居住者名に対応する居室親機を呼び出すための操作を受け付け可能な複数の専用ボタンとを備え、集合玄関機あるいは制御装置は、集合玄関機の所定領域における複数の専用ボタンの場所を特定する場所番号が付与された呼出テーブル１４０を有し、呼出テーブル１４０上で、訪問者が視認可能な専用ボタンの場所番号に対して各居住者名が割り当てられる。【選択図】図４
2020080579.tif 000002
【特許請求の範囲】
【請求項１】
各居室に設置される居室親機と、前記居室親機と通信可能に構成された集合玄関機と、前記集合玄関機を制御する制御装置と、を備えたインターホンシステムであって、
前記集合玄関機は、
訪問者が居住者を呼出すために当該居住者の居室親機を特定するための居室情報が表示される複数の居室情報表示部と、
前記居室情報表示部に関連付けて設けられるとともに、各居室情報表示部に表示された居室情報に対応する居室親機を呼び出すための操作を受け付け可能な複数の専用入力受付部と、を備え、
前記集合玄関機あるいは前記制御装置は、前記集合玄関機の所定領域における前記複数の専用入力受付部の場所を特定する複数の場所番号が付与された管理テーブルを有し、
前記管理テーブル上で、前記複数の場所番号のそれぞれには前記居室情報が割り付けられるとともに、前記複数の専用入力受付部のうちの一部を特定するために、前記複数の場所番号のうち特定の場所番号に対してクイックリストが割り付けられている、インターホンシステム。
【請求項２】
前記複数の居室情報表示部は、第１の複数の居室情報表示部と、前記第１の複数の居室情報表示部の中から予めピックアップされた第２の複数の居室情報表示部と、を含み、
前記管理テーブルにおいて、前記クイックリストが割り付けられる前記特定の場所番号は、前記第２の複数の居室情報表示部に対応付けられている、請求項１に記載のインターホンシステム。
【請求項３】
前記管理テーブルは、前記集合玄関機あるいは前記制御装置と通信可能に接続される外部機器により設定されて、前記集合玄関機あるいは前記制御装置に送信される、請求項１または２に記載のインターホンシステム。
【請求項４】
前記管理テーブルは、各前記場所番号に複数の居室親機ＩＤを割り当て可能である、請求項１から３のいずれか一項に記載のインターホンシステム。
【請求項５】
集合玄関機は、予め決められた数の前記複数の居室情報表示部を有しており、
前記居室の数に応じて前記複数の居室情報表示部のうち一部の居室情報表示部が視認できないように隠されている、請求項１から請求項４のいずれか一項に記載のインターホンシステム。
【発明の詳細な説明】
【技術分野】
【０００１】
本発明は、集合住宅に用いられるインターホンシステムに関する。
【背景技術】
【０００２】
従来、複数の住居棟で構成される集合住宅向けのインターホンシステムがある。このインターホンシステムの構成では、各住居棟は、インターホン回線（インターホン専用線）を介して制御機と接続されている。
【先行技術文献】
【特許文献】
【０００３】
【特許文献１】特開２００４−２６０６７９号公報
【発明の概要】
【発明が解決しようとする課題】
【０００４】
ところで、各住居棟のエントランスに設置される集合玄関機には、当該集合玄関機に関連付けられた居室ごとの情報（部屋番号や居住者名等）が表示される居室情報表示部が設けられている場合がある。このような集合玄関機は、汎用的な使用を可能とするために通常は一定数（例えば４つ）の居室情報表示部と当該居室情報表示部に表示される居室親機を呼出すための専用入力受付部が設けられている。そして、各住居棟が有する居室の数に応じて居室情報表示部や専用入力受付部の数が変更可能となるように、一定数以下の居室を備えた住居棟に当該集合玄関機を設置する場合には、一部の居室情報表示部および専用入力受付部を隠すための化粧パネルが集合玄関機上に設置される。しかし、このような化粧パネルが設置された集合玄関機において、各居室親機を専用入力受付部と上から順に紐付けると、化粧パネルにより隠された専用入力受付部にも居室親機が紐付けられてしまい、適切な居室親機を呼出せない場合が考えられる。
【０００５】
そこで、本発明は、専用入力受付部によって、適切な居室親機を呼出すことが可能な集合玄関機を備えるインターホンシステムを提供することを目的とする。
【課題を解決するための手段】
【０００６】
上記目的を達成するために、本発明のインターホンシステムは、
各居室に設置される居室親機と、前記居室親機と通信可能に構成された集合玄関機と、前記集合玄関機を制御する制御装置と、を備えたインターホンシステムであって、
前記集合玄関機は、
訪問者が居住者を呼び出すために当該居住者の居室親機を特定するための居室情報が表示される複数の居室情報表示部と、
前記居室情報表示部に関連付けて設けられるとともに、各居室情報表示部に表示された居室情報に対応する居室親機を呼び出すための操作を受け付け可能な複数の専用入力受付部と、を備え、
前記集合玄関機あるいは前記制御装置は、前記集合玄関機の所定領域における前記複数の専用入力受付部の場所を特定する場所番号が付与された管理テーブルを有し、
前記管理テーブル上で、前記訪問者が視認可能な専用入力受付部の前記場所番号に対して前記各居室情報が割り当てられる。
【０００７】
この構成によれば、例えば、インターホンシステムの施工者や管理者が、居室親機と対応する専用入力受付部との紐付けを適切に行うことができ、汎用の集合玄関機を用いた居室親機の呼出設定を容易に行うことができる。
【０００８】
また、本発明のインターホンシステムは、
前記集合玄関機あるいは前記制御装置と通信可能に接続される外部機器により、前記管理テーブルの設定を変更可能であっても良い。
【０００９】
この構成によれば、例えば、インターホンシステムの施工者や管理者が、居室親機と居室情報表示部との紐付けを簡便に行うことができる。
【００１０】
また、本発明のインターホンシステムにおいて、
前記管理テーブルは、各前記場所番号に複数の居室親機ＩＤを割り当て可能であっても良い。
【００１１】
この構成によれば、居室内に複数の居室親機が存在する場合にも、呼出先の居室内の各居室親機を呼び出すことができる。
【００１２】
また、本発明のインターホンシステムにおいて、
前記集合玄関機は、予め決められた数の前記複数の居室情報表示部を有しており、
前記居室の数に応じて前記複数の居室情報表示部のうち一部の居室情報表示部が視認できないように隠されていても良い。
【００１３】
この構成によれば、居室情報表示部の数が同じ汎用の集合玄関機を、居室数の異なる住居棟で適切に用いることができる。
【発明の効果】
【００１４】
本発明のインターホンシステムによれば、専用入力受付部によって、適切な居室親機を呼出すことが可能な集合玄関機を備えることができる。
【図面の簡単な説明】
【００１５】
【図１】本発明の実施形態に係るインターホンシステムの構成図である。
【図２】集合玄関機の機能ブロック図である。
【図３】集合玄関機の構成図である。
【図４】集合玄関機あるいは棟制御部に記憶されている管理テーブルの一例を示す図である。
【図５】管理テーブルの変形例を示す図である。
【発明を実施するための形態】
【００１６】
以下、本実施形態の一例について、図面を参照して説明する。
図１に示すように、インターホンシステム１は、マンション等の集合住宅に用いられるシステムである。本例では、複数の住居棟（住居Ａ棟〜住居Ｅ棟）で構成される集合住宅を示しているが、例えば１つの住居棟からなる集合住宅にも適用されうる。住居Ａ棟〜住居Ｅ棟は、汎用プロトコルに従って通信が行われるネットワークＮ（本例では、ＬＡＮ：Local Area Network）を介して互いに接続されている。また、集合住宅には管理センター５が設けられており、ネットワークＮを介して各住居棟と接続されている。
【００１７】
インターホンシステム１は、集合玄関機１０Ａ〜１０Ｃと、管理室親機２０と、居室親機３０と、棟制御部４０（制御装置の一例）とを備えている。なお、図１では、住居Ａ棟のみに上記各構成を示しているが、住居Ｂ棟から住居Ｅ棟も同様の構成を有する。
【００１８】
集合玄関機１０Ａ〜１０Ｃ（以下、総称する場合は集合玄関機１０と称する）は、集合住宅の集合玄関や共用スペース等に設置されている。集合玄関機１０は、例えば自棟内における任意の居室親機３０や自棟内の管理室親機２０を呼び出すことができるように構成されている。集合玄関機としては、例えば集合玄関機１０Ａのように部屋番号などをテンキーで入力する方式と居住者あるいは店舗等の名称と対応づけられている専用ボタンを押下する方式との２つの方式を有するもの、集合玄関機１０Ｂのように専用ボタン方式のみのもの、集合玄関機１０Ｃのようにテンキー方式のみのもの等がある。集合玄関機１０は、インターホン回線（専用線）Ｌ１を介して棟制御部４０と通信可能に接続されている。また、集合玄関機１０は、無線通信（例えばＮＦＣ：Near Field Communication，Bluetooth（登録商標）等）により、外部機器８０（例えばＰＣ：Personal Computer等）と通信可能に接続されうる。
【００１９】
管理室親機２０は、集合住宅の管理室に設置されている。管理室親機２０は、例えば自棟内における任意の居室親機３０を呼び出すことができるように構成されている。また、管理室親機２０は、操作部２０１、通話部２０２、表示部２０３などを備えており、集合玄関機１０に居る訪問者や、居室親機３０に居る居住者と通話可能に構成されている。管理室親機２０は、インターホン回線Ｌ２を介して棟制御部４０と通信可能に接続されている。また、管理室親機２０は、上記集合玄関機１０と同様に外部機器８０と通信可能に接続されうる。
【００２０】
居室親機３０は、集合住宅の各住居内に設置されている。居室親機３０は、表示部３０１、操作部３０２、通話部３０３などを備えており、例えば集合玄関機１０や管理室親機２０からの呼び出しに対して応答できるように構成されている。各居室親機３０には、その居室機を特定する情報（例えば居室親機ＩＤ：identification）が記憶されている。居室親機３０は、インターホン回線Ｌ３を介して棟制御部４０と通信可能に接続されている。
【００２１】
棟制御部４０は、インターホン回線を介して接続される集合玄関機１０、管理室親機２０、および居室親機３０との間の通信等を制御している。また、棟制御部４０は、ネットワークＮを介して、他の住居棟（本例では住居Ｂ棟〜住居Ｅ棟）の棟制御部４０、および管理センター５の集中制御部７０（後述する）と通信可能に接続されている。また、棟制御部４０は、ネットワークＮを介して、外部機器８０と通信可能に接続されうる。
【００２２】
管理センター５は、住居Ａ棟〜住居Ｅ棟までの集合住宅全体を管理することができるように構成されており、集中集合玄関機５０と、集中管理室親機６０と、集中制御部７０とを備えている。集中集合玄関機５０は、管理センター５の玄関に設置されており、例えば各棟の任意の居室親機３０や管理センター５の集中管理室親機６０を呼び出すことができるように構成されている。集中集合玄関機５０は、インターホン回線Ｌ４を介して集中制御部７０と通信可能に接続されている。集中管理室親機６０は、管理センター５の管理室に設置されており、例えば各棟の任意の居室親機３０を呼び出すことができるように構成されている。集中管理室親機６０は、インターホン回線Ｌ５を介して集中制御部７０と通信可能に接続されている。集中制御部７０は、例えば集中集合玄関機５０、および集中管理室親機６０との間の通信の送受を制御している。集中制御部７０は、ネットワークＮを介して、住居Ａ棟〜住居Ｅ棟の各棟制御部４０と通信可能に接続されている。
【００２３】
図２に示すように、集合玄関機１０は、呼出部１０１と、記憶部１０２と、カメラ１０３と、集合玄関表示部１０４と、通話部１０５と、集合玄関機ＣＰＵ１０６と、集合玄関機インターフェース（以下、インターフェースをＩ／Ｆと称する）１０７とを備えている。
【００２４】
呼出部１０１は、訪問者等が訪問先の居室親機３０や管理室の管理室親機２０を呼び出す際に操作される。呼出部１０１は、呼出先の居室親機３０を特定する居室情報（例えば居住者の氏名や各居室の名称など）に関連付けて設けられている専用ボタン１１１（専用入力受付部の一例）と、呼出先の居室親機３０を特定するための例えば部屋番号などを一文字ずつ入力可能なテンキー１１２等を有する。
【００２５】
記憶部１０２には、専用ボタン１１１の場所を特定する場所番号と、居室の部屋番号と、居室の居住者名や居室の名称（例えばテナント名等）と、居室の居室親機３０を特定する居室親機ＩＤなどが対応づけられた呼出テーブル（管理テーブルの一例）が記憶されている。
【００２６】
カメラ１０３は、集合玄関機１０を操作する訪問者等を撮像する。集合玄関表示部１０４は、テンキー１１２から入力される部屋番号や、訪問者に対するメッセージや、カメラ１０３が撮像している訪問者の映像等が表示される。通話部１０５は、居住者や管理人と通話するためのマイクおよびスピーカで構成されている。
【００２７】
集合玄関機ＣＰＵ１０６は、集合玄関機１０の各部を制御するための処理を行う。例えば集合玄関機ＣＰＵ１０６は、呼出部１０１を介して呼出信号が入力されると、呼出テーブルに基づいて呼出先の居室親機３０を特定する。また、集合玄関機ＣＰＵ１０６は、外部機器８０との通信により外部機器８０から取得した設定データを記憶部１０２の呼出テーブルに記憶させる。
【００２８】
集合玄関機Ｉ／Ｆ１０７は、集合玄関機ＣＰＵ１０６とインターホン回線Ｌ１間における双方向の信号伝送路を形成する。また、集合玄関機Ｉ／Ｆ１０７は、集合玄関機ＣＰＵ１０６と外部機器８０との間における無線通信の信号伝送路を形成する。
【００２９】
なお、図示は省略するが、管理室親機２０も集合玄関機１０と同様に、呼出テーブルが記憶された記憶部を有している。管理室親機２０は、操作部２０１に居室を呼び出すための呼出信号が入力されると、呼出テーブルに基づいて呼出先の居室親機３０を特定する。また、管理室親機２０は、外部機器８０との通信により外部機器８０から取得した設定データを記憶部の呼出テーブルに記憶する。
【００３０】
同様に棟制御部４０も、呼出テーブルが記憶された記憶部を有しており、ネットワークＮを介して管理センター５から呼出信号が送信されてくると、呼出テーブルに基づいて自棟内における呼出先の居室親機３０を特定する。また、棟制御部４０は、外部機器８０との通信により外部機器８０から取得した設定データを記憶部の呼出テーブルに記憶する。
【００３１】
図３を参照して、集合玄関機１０について詳述する。なお、本例では専用ボタン１１１とテンキー１１２との両方を有した集合玄関機１０Ａを用いて説明する。
【００３２】
図３に示すように、集合玄関機１０Ａには、予め決められた数（本例では４つ）の専用ボタン１１１を有する呼出ユニット１２１ａ〜１２１ｅ（以下、総称する場合は呼出ユニット１２１と称する）が取り付けられている。呼出ユニット１２１は、例えば住居棟における居室（居住者）数などに応じて追加して取り付けたり、取り外して減少させたりすることができるように構成されている。本例では、５つの呼出ユニット１２１ａ〜１２１ｅが水平方向（図３の左右方向）へ並べて取り付けられている。呼出ユニット１２１は、水平方向だけでなく垂直方向（図３の上下方向）へ並べて取り付けても良い。
【００３３】
呼出ユニット１２１には、例えば居住者名（居室情報の一例）が表示されているネームプレート１２２（居室情報表示部の一例）が各専用ボタン１１１に関連付けて設けられている。ネームプレート１２２の居住者名は、訪問者が居住者を呼び出すために訪問先の居室親機３０を特定する情報として用いられている。なお、ネームプレート１２２には、複数の居住者名を表示するようにしても良い。
【００３４】
呼出ユニット１２１は、その前面上に化粧パネル（例えば化粧パネル１３０ａ〜１３０ｃ）が取り付けできるように構成されている。化粧パネルは、呼出ユニット１２１の前面における所定の領域を覆うような形状に形成されている。例えば呼出ユニット１２１ｃに取り付けられている化粧パネル１３０ａは、呼出ユニット１２１ｃに設けられている４つの専用ボタン１１１と４つのネームプレート１２２のうち、破線で示す最上段の専用ボタン１１１とネームプレート１２２とを覆い隠すような形状に形成されている。化粧パネル１３０ａが取り付けられることにより、呼出ユニット１２１ｃは、操作する訪問者が３つの専用ボタン１１１と３つのネームプレート１２２とを視認できるようになっている。すなわち、最上段の専用ボタン１１１とネームプレート１２２とは、使用されないものとして訪問者には視認できないようになっている。
【００３５】
同様に、例えば呼出ユニット１２１ｄは、化粧パネル１３０ｂにより、上側２段の専用ボタン１１１とネームプレート１２２とが覆い隠されて、下段２つの専用ボタン１１１と２つのネームプレート１２２のみが視認できるようになっている。また、同様に、例えば呼出ユニット１２１ｅは、化粧パネル１３０ｂにより、上側３段の専用ボタン１１１とネームプレート１２２とが覆い隠されて、最下段の１つの専用ボタン１１１と１つのネームプレート１２２のみが視認できるようになっている。化粧パネルで何個の専用ボタン１１１とネームプレート１２２を覆い隠すか、およびどの位置の専用ボタン１１１とネームプレート１２２を覆い隠すかは、住居棟の居室数に合わせて任意に選択することが可能である。なお、呼出ユニット１２１ａと呼出ユニット１２１ｂは、４つの専用ボタン１１１と４つのネームプレート１２２とが視認できるようになっている。本例では、呼出ユニット１２１ａと呼出ユニット１２１ｂには、化粧パネルを取り付けていないが、４つの専用ボタン１１１と４つのネームプレート１２２とが視認できる化粧パネルを取り付けるようにしても良い。
【００３６】
図４を参照して、呼出テーブルについて詳述する。
呼出テーブル１４０に記憶されている場所番号のデータ1〜16は、集合玄関機１０Ａの呼出ユニット１２１に設けられている専用ボタン１１１の場所を特定するために付与された番号である。場所番号1〜4は、集合玄関機１０Ａの呼出ユニット１２１ｂに設けられている４つの専用ボタン１１１に対して上から順に対応づけられた番号である。また、場所番号5〜8は、呼出ユニット１２１ｃに設けられている４つの専用ボタン１１１に対して、場所番号9〜12は、呼出ユニット１２１ｄに設けられている４つの専用ボタン１１１に対して、場所番号13〜16は、呼出ユニット１２１ｅに設けられている４つの専用ボタン１１１に対してそれぞれ上から順に対応づけられた番号である。
【００３７】
ところで、集合玄関機１０Ａにおいて呼出ユニット１２１ｂ〜１２１ｅの専用ボタン１１１とネームプレート１２２とは、上記のように化粧パネル１３０ａ〜１３０ｃによってそれぞれ一部が覆い隠されている。そこで、呼出テーブル１４０では、各呼出ユニット１２１において覆い隠されている専用ボタン１１１の場所番号に対しては、部屋番号、居住者名、および居室親機ＩＤのデータが記憶されないように設定されている。例えば呼出ユニット１２１ｃにおいて化粧パネル１３０ａで覆い隠されている最上段の専用ボタン１１１に対応づけられた場所番号５に対しては、呼出テーブル１４０に示されるように部屋番号等のデータが記憶されていない。一方、呼出ユニット１２１ｃにおいて視認可能に設けられている専用ボタン１１１に対応づけられた場所番号6〜8に対しては、部屋番号等のデータが割り当てられて記憶されている。
【００３８】
この設定は、呼出ユニット１２１ｄ，１２１ｅにおける専用ボタン１１１の場所番号に対しても同様である。例えば呼出ユニット１２１ｄでは、化粧パネル１３０ｂで覆い隠されている上側２段の専用ボタン１１１に対応づけられた場所番号9，10に対して部屋番号等のデータが記憶されない。一方、視認可能に設けられている専用ボタン１１１に対応づけられた場所番号11，12に対しては、部屋番号等のデータが記憶されている。また、例えば呼出ユニット１２１ｅでは、化粧パネル１３０ｃで覆い隠されている上側３段の専用ボタン１１１に対応づけられた場所番号13，14，15に対して部屋番号等のデータが記憶されない。一方、視認可能に設けられている専用ボタン１１１に対応づけられた場所番号16に対しては、部屋番号等のデータが記憶されている。
【００３９】
図３に示す呼出ユニット１２１ｂ〜１２１ｅと、これに対応づけて設定されている図４の呼出テーブル１４０とは、図１の住居Ａ棟における各階（1F〜4F）に設置された居室親機３０と対応するように形成されている。
【００４０】
集合玄関機１０Ａには、予め設定された特定の居住者を呼び出し可能な専用ボタン１１１およびネームプレート１２２を設けるようにしても良い（図３の呼出ユニット１２１ａ参照）。
呼出ユニット１２１ａのネームプレート１２２に表示されている名前（FURUYA，WATANABE，HAYASHI，TAKEUCHI）は、居住者の申請により、呼出ユニット１２１ｂ〜１２１ｅのネームプレート１２２の表示とは別にピックアップして表示された名前である。訪問者は、呼出ユニット１２１ａの専用ボタン１１１を押すことによっても、ピックアップされている居住者を呼び出すことが可能である。なお、呼出ユニット１２１ａのネームプレート１２２には、居住者名の他に、例えばテナント名などを表示しておくようにしても良い。
【００４１】
この場合、呼出ユニット１２１ａに設けられている各専用ボタン１１１を特定するために、呼出テーブル１４０には、クイックリストのデータ1〜4が記憶されている。例えばクイックリスト1は、呼出ユニット１２１ａに設けられている４つの専用ボタン１１１のうちの最上段の専用ボタン１１１に対応づけられている。また、クイックリスト2〜4は、呼出ユニット１２１ａの２段目〜４段目の専用ボタン１１１にそれぞれ対応づけられている。
【００４２】
図５に示すように、呼出テーブル１４０は、１つの場所番号に対して複数の居室親機ＩＤを割り当てるようにしても良い。
例えば部屋番号401の住居に複数（本例では３台）の居室親機３０が設置されている場合、場所番号16に対して３つの居室親機ＩＤ（例えばS10−1，S10−2，S10−3）を割り当てる。この場合、集合玄関機１０Ａで居住者「TAKEUCHI」を呼び出すための呼出ユニット１２１ｅの専用ボタン１１１が押されると、呼出テーブル１４０に基づいて、部屋番号401の住居に設置されている３台の居室親機３０から呼出音が発せられる。なお、居住者「TAKEUCHI」を呼び出すための呼出ユニット１２１ａの専用ボタン１１１が押された場合も、同様に３台の居室親機３０から呼出音が発せられる。
【００４３】
次に、インターホンシステム１の動作について説明する。
例えば図１に示されるような構成のインターホンシステム１を備える集合住宅が完成して、施工者あるいは管理人等が呼出テーブル１４０を集合玄関機１０等に記憶させる場合、以下のような動作となる。
【００４４】
まず、施工者等は、外部機器８０の設定ツールを用いて、例えば図４に示されるような呼出テーブル１４０の各データを設定する。呼出テーブル１４０の各データは、場所番号で特定されている専用ボタン１１１に対応づけられたネームプレート１２２の居住者名に対応づけながら設定する。例えば図３の呼出ユニット１２１ｂにおける最下段の専用ボタン１１１を特定する場所番号は「4」であり、その専用ボタン１１１に対応づけられたネームプレート１２２には「KATO」と表示されている。したがって、図４の呼出テーブル１４０における場所番号4のテーブルには、居住者名「KATO」に対応づけて部屋番号「104」や居室親機ＩＤ「S4」等を設定する。また、例えば図３の呼出ユニット１２１ｃにおける最上段の専用ボタン１１１およびネームプレート１２２は化粧パネル１３０ａで覆い隠されている。したがって、その隠された専用ボタン１１１を特定する場所番号5のテーブルにはデータを設定しない。なお、呼出テーブル１４０の設定データは、外部機器８０を介して繰り返して変更することが可能である。
【００４５】
外部機器８０で設定された呼出テーブル１４０は、例えば無線通信により、外部機器８０から集合玄関機１０Ａ〜１０Ｃ、および管理室親機２０に送信される。また、外部機器８０で設定された呼出テーブル１４０は、ネットワークＮを介して、外部機器８０から棟制御部４０に送信される。
【００４６】
集合玄関機１０Ａ〜１０Ｃ、管理室親機２０、および棟制御部４０は、外部機器８０から送信されてきた呼出テーブル１４０を各々の記憶部に記憶する。
【００４７】
なお、外部機器８０で設定された呼出テーブル１４０は、棟制御部４０に送信された後、インターホン回線Ｌ１を介して棟制御部４０から集合玄関機１０Ａ〜１０Ｃへ送信されるとともに、インターホン回線Ｌ２を介して管理室親機２０へ送信されるようにしても良い。
【００４８】
また、外部機器８０で設定された呼出テーブル１４０は、集合玄関機１０Ａに送信された後、インターホン回線Ｌ１を介して集合玄関機１０Ａから他の集合玄関機１０Ｂ，１０Ｃ、および棟制御部４０へ送信されるようにしても良い。さらに、上記呼出テーブル１４０は、インターホン回線Ｌ２を介して管理室親機２０へ送信されるようにしても良い。
【００４９】
このようなインターホンシステム１によれば、呼出テーブル１４０には、集合玄関機１０Ａに設けられた専用ボタン１１１の場所を特定する場所番号1〜16に対応づけて各データが記憶されており、この呼出テーブル１４０に基づいて動作が制御されている。このため、例えばインターホンシステム１の施工者や集合住宅の管理者等が、各居室に設置されている居室親機３０とそれに対応する専用ボタン１１１との対応づけを適切に行うことができる。これにより、訪問者は、訪問先のネームプレート１２２を探し、それに対応する専用ボタン１１１を押すことで、訪れたい居住者宅の居室親機３０を間違いなく呼出すことができる。
【００５０】
また、集合玄関機１０Ａの呼出ユニット１２１に準備されている４つの専用ボタン１１１とネームプレート１２２とは、居室の数に合わせて専用ボタン１１１とネームプレート１２２との一部を視認できないように化粧パネルで隠すことができるように構成されている。このため、例えば各呼出ユニット１２１に予め４つの専用ボタン１１１が準備されているような汎用の集合玄関機１０Ａを、居室数の異なる住居棟においても各居室数に合わせて適切に用いることができるとともに、汎用の集合玄関機を用いた居室親機３０の呼出設定を容易に行うことができる。
【００５１】
また、集合玄関機１０や棟制御部４０に接続した外部機器８０により、集合玄関機１０や棟制御部４０に記憶されている呼出テーブルの設定データを変更することができるように構成されている。このため、例えばインターホンシステム１の施工者や管理者は、居室親機３０と専用ボタン１１１との対応づけを容易に行うことができる。さらに、予め外部機器８０で呼出テーブル１４０のデータを設定しておいてから、その設定した呼出テーブル１４０を集合玄関機１０や棟制御部４０に送信することもできるので、作業時間も短縮される。
【００５２】
また、呼出テーブル１４０は、１つの場所番号に対して複数の居室親機ＩＤを割り当て可能であるため、居室内に複数の居室親機３０が存在する場合にも、呼出先の居室内の各居室親機３０を呼び出すことができる。
【００５３】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００５４】
１：インターホンシステム、１０，１０Ａ〜１０Ｃ：集合玄関機、２０：管理室親機、３０：居室親機、４０：棟制御部（制御装置の一例）、８０：外部機器、１０２：記憶部、１０６：集合玄関機ＣＰＵ、１１１：専用ボタン（専用入力受付部の一例）、１１２：テンキー、１２１，１２１ａ〜１２１ｅ：呼出ユニット、１２２：ネームプレート（居室情報表示部の一例）、１３０ａ〜１３０ｃ：化粧パネル、１４０：呼出テーブル（管理テーブルの一例）
【図１】
2020080579.tif 000003
【図２】
2020080579.tif 000004
【図３】
2020080579.tif 000005
【図４】
2020080579.tif 000006
【図５】
2020080579.tif 000007